(57)【特許請求の範囲】
【請求項１】
電源投入後に、受付信号を有するＩＣカードである起動用カードが挿入され、前記受付信号が受信された場合にのみ起動され、利用者の利用可能な金額である利用可能金額が記憶された一般のＩＣカードである一般カードを受け付け、紙幣の入金によって前記利用可能金額を積増するＩＣカード用紙幣積増機において、
前記起動用カードは暗号を有し、
挿入された前記起動用カードの前記暗号を照合する暗号照合手段による照合が成立した場合に、前記受付信号が受信され、
他の暗号を有する他の起動用カードが挿入されて前記暗号照合手段による照合が成立しなかった場合に、前記他の暗号を照合が成立するように前記暗号に書き換える暗号書換手段を有し、前記暗号に書き換えられた前記他の起動用カードが挿入されて、前記暗号照合手段による照合の成立により、前記受付信号が受信されて起動されることを特徴とするＩＣカード用紙幣積増機。
【発明の詳細な説明】
【０００１】
【発明の属する技術分野】
本発明はＩＣカード用紙幣積増機に関し、特に利用者の利用可能な金額を記憶しているＩＣカードに対し、さらに紙幣を入金してその利用可能な金額を積増するＩＣカード用紙幣積増機に関する。
【０００２】
【従来の技術】
鉄道やレジャー施設などには、利用者が料金を前払いした利用可能な金額である利用可能金額や、必要に応じてその利用者の個人情報などが記憶されているＩＣカードに、その利用可能金額が不足する場合など、追加して料金を支払い、そのＩＣカードに利用可能金額をさらに積増するＩＣカード用紙幣積増機が設けられている。このようなＩＣカード用紙幣積増機では、１枚のＩＣカードに利用可能金額を積増していくので、ＩＣカードを繰り返し使用することができる。
【０００３】
そして、ＩＣカード用紙幣積増機には、入金された紙幣を装置内部に取り込んで収納庫に収納する入金機が備えられていて、ＩＣカード用紙幣積増機は、入金された紙幣を収納し、その金額に応じて、ＩＣカードの利用可能金額を積増する。
【０００４】
このような従来のＩＣカード用紙幣積増機は、電源が投入されることによって起動し、ＩＣカードの挿入待機状態となり、いつでも挿入されたＩＣカードに対する情報の読み込み・書き込み、紙幣の入金、および挿入されたＩＣカードへの紙幣の積増を行うことができる状態になる。
【０００５】
【発明が解決しようとする課題】
しかしながら、従来のＩＣカード用紙幣積増機は、電源の投入によって起動され、いつでも使用可能な状態となるので、その分、ＩＣカード用紙幣積増機に対する不正操作や不正行為がなされる可能性が高くなるという問題点があった。
【０００６】
このような不正操作や不正行為によって、ＩＣカードに記憶されている利用可能金額や個人情報が書き換えられ、例えば紙幣の入金なしに利用可能金額が積増されるなど、ＩＣカードに記憶されている情報が改ざんされる可能性がある。
【０００７】
さらに、万一、ＩＣカード用紙幣積増機自体が盗難された場合には、ＩＣカードに記憶されている情報が改ざんされる可能性がさらに高くなり、ＩＣカード用紙幣積増機のセキュリティに対する信頼性が低下することになる。
【０００８】
本発明はこのような点に鑑みてなされたものであり、ＩＣカードに記憶されている情報の不正な改ざんを防止するＩＣカード用紙幣積増機を提供することを目的とする。
【０００９】
【課題を解決するための手段】
本発明では上記問題を解決するために、電源投入後に、受付信号を有するＩＣカードである起動用カードが挿入され、受付信号が受信された場合にのみ起動され、利用者の利用可能な金額である利用可能金額が記憶された一般のＩＣカードである一般カードを受け付け、紙幣の入金によって利用可能金額を積増するＩＣカード用紙幣積増機において、起動用カードは暗号を有し、挿入された起動用カードの暗号を照合する暗号照合手段による照合が成立した場合に、受付信号が受信され、他の暗号を有する他の起動用カードが挿入されて暗号照合手段による照合が成立しなかった場合に、他の暗号を照合が成立するように暗号に書き換える暗号書換手段を有し、暗号に書き換えられた他の起動用カードが挿入されて、暗号照合手段による照合の成立により、受付信号が受信されて起動されることを特徴とするＩＣカード用紙幣積増機が提供される。
【００１０】
このようなＩＣカード用紙幣積増機によれば、受付信号を有する起動用カードが挿入され、その受付信号が受信されることによって、ＩＣカード用紙幣積増機が起動される。これにより、ＩＣカード用紙幣積増機は、電源投入後、起動用カードが挿入されるまでは起動されず、したがって、一般カードがＩＣカード用紙幣積増機に受け付けられないようになっているので、ＩＣカード用紙幣積増機に対する不正操作や不正行為によりＩＣカードに記憶されている情報が改ざんされる機会が減少する。
【００１１】
さらに、万一、ＩＣカード用紙幣積増機自体が盗難された場合であっても、起動用カードが挿入されるまではＩＣカード用紙幣積増機が起動されることがないので、ＩＣカード用紙幣積増機のセキュリティに対する信頼性が高くなる。
【００１２】
【発明の実施の形態】
以下、本発明の実施の形態を図面を参照して説明する。
まず、第１の実施の形態について説明する。
【００１３】
図１は第１の実施の形態に係るＩＣカード用紙幣積増機の構成ブロック図である。
本形態のＩＣカード用紙幣積増機１は、利用者の利用できる金額である利用可能金額、および必要に応じて利用者を識別するための個人情報が記憶されている一般のＩＣカードである一般カードのほか、一般カードを受け付けられるようにＩＣカード用紙幣積増機１を起動するためのＩＣカードである起動用カードが挿入できるようになっている。この起動用カードは、ＩＣカード用紙幣積増機１が認識可能な信号であって、ＩＣカード用紙幣積増機１の識別用のＩＤおよびＩＣカード用紙幣積増機１の起動用のコマンドである起動用コマンドを含む信号である受付信号を有している。なお、この受付信号に含まれるＩＤは、ＩＣカード用紙幣積増機１以外の複数のＩＣカード用紙幣積増機に共通するものであってもよい。
【００１４】
ＩＣカード用紙幣積増機１は、一般カードあるいは起動用カードが挿入されるＩＣカード挿入口２、紙幣が入金される紙幣入金口３、および入金された紙幣についての領収書を発行する領収書発行口４を有し、さらに、一般カードあるいは起動用カードの挿入および紙幣の入金がなされた後の積増処理を制御する制御部５を有している。
【００１５】
この制御部５は、ＣＰＵ（Central Processing Unit）のほか、基本プログラムを格納しているＲＯＭ（Random Access Memory）、ＣＰＵが実行するプログラムや演算途中のデータを一時的に格納するＳＲＡＭ（Static Random Access Memory）、プログラムのダウンロードおよびデータ収集を行うＳＲＡＭカード、および生成された情報をＩＣカード用紙幣積増機１の各部に伝達して制御するコントローラを有している。
【００１６】
また、ＩＣカード用紙幣積増機１には、操作用の操作スイッチ６ａ、ランプによって装置状態を表示する装置状態表示ランプ６ｂ、および紙幣の在高、ＩＣカード用紙幣積増機１の異常、操作案内など、必要に応じて各種メッセージを表示するＬＣＤ（Liquid Crystal Display）６ｃから成る操作表示部６が設けられている。
【００１７】
さらに、ＩＣカード用紙幣積増機１には、ＩＣカード挿入口２から挿入されたＩＣカードについて情報の読み込み・書き込みを行うリーダ・ライタ部７、入金紙幣の真贋と金種を鑑別する紙幣鑑別部８、および紙幣鑑別部８で鑑別された紙幣を収納する紙幣収納庫９が設けられている。リーダ・ライタ部７および紙幣鑑別部８は、制御部５によって制御されるようになっている。
【００１８】
このリーダ・ライタ部７には、アンテナ１０が接続されていて、ＩＣカード挿入口２から起動用カードが挿入された場合に、ＩＣカード用紙幣積増機１は、その起動用カードが有する受付信号をアンテナ１０で受信する。
【００１９】
また、ＩＣカード用紙幣積増機１には、取引データの転送や機器の状況のリアルタイムの監視を行うためのＰＨＳ（Personal Handyphone System）通信部１１、メンテナンスに関するメッセージを表示するメンテナンス部１２、および領収書発行口４から入金紙幣についての領収書を発行し、さらに取引データが印刷可能な印刷部１３が設けられており、これらは制御部５によって制御される。また、ＩＣカード用紙幣積増機１の電源は、電源部１４から供給される。
【００２０】
図２はＩＣカード用紙幣積増機の一例の概略図である。
ＩＣカード用紙幣積増機１の前面には、操作スイッチ６ａ、装置状態表示ランプ６ｂおよびＬＣＤ６ｃが配置され、さらに、ＩＣカード挿入口２、紙幣入金口３、および領収書発行口４が配置されている。
【００２１】
図３および図４は第１の実施の形態に係るＩＣカード用紙幣積増機の積増処理のフローチャートである。
ＩＣカード用紙幣積増機１の電源が投入されると（ステップＳ１）、ＩＣカード用紙幣積増機１は、まず初期状態にリセットされる（ステップＳ２）。その際、ＩＣカード用紙幣積増機１は、ＬＣＤ６ｃに一般カード受付不可メッセージを表示する（ステップＳ３）。この状態では、一般カードの挿入および紙幣の入金は行うことができないようになっており、ＩＣカード用紙幣積増機１は、起動用カードの挿入待機状態になる。
【００２２】
次に、ＩＣカード用紙幣積増機１は、起動用カードがＩＣカード挿入口２に挿入されたか否かを判断する（ステップＳ４）。起動用カードがＩＣカード挿入口２に挿入されると、ＩＣカード用紙幣積増機１は、アンテナ１０でその起動用カードの受付信号を受信する。ＩＣカード用紙幣積増機１が、この受付信号に含まれるＩＤを認識すると、制御部５のＣＰＵが、その受付信号に含まれる起動用コマンドによりＩＣカード用紙幣積増機１の起動を開始する。そして、ＩＣカード用紙幣積増機１は、ＬＣＤ６ｃに一般カード受付許可メッセージを表示し（ステップＳ５）、一般カードの挿入待機状態になる。また、ステップＳ４において起動用カードが挿入されていない場合には、ＩＣカード用紙幣積増機１は、ステップＳ３に戻り、ＬＣＤ６ｃに一般カード受付不可メッセージを表示したまま、起動用カードの挿入待機状態を維持する。
【００２３】
ＩＣカード用紙幣積増機１の起動後、一般カードの挿入待機状態では、ＩＣカード用紙幣積増機１は、一般カードがＩＣカード挿入口２に挿入されたか否かを判断する（ステップＳ１１）。そして、一般カードがＩＣカード挿入口２に挿入されると、ＩＣカード用紙幣積増機１は、リーダ・ライタ部７にて一般カードに記憶された利用可能金額および個人情報を読み込み、次に、紙幣入金口３から紙幣が入金されたか否かを判断する（ステップＳ１２）。紙幣の入金が行われた場合には、ＩＣカード用紙幣積増機１は、紙幣鑑別部８にて、入金された紙幣の真贋と金種を鑑別した後、挿入された一般カードに記憶されている利用可能金額をリーダ・ライタ部７にて更新するため、その一般カードの利用可能金額に入金金額を積増する（ステップＳ１３）。最後に、ＩＣカード用紙幣積増機１は、領収書発行口４からこの入金金額についての領収書を発行する（ステップＳ１４）。
【００２４】
また、ステップＳ１１において一般カードが挿入されるまで、およびステップＳ１４において領収書が発行された後は、ＩＣカード用紙幣積増機１は、ステップＳ５における一般カードの挿入待機状態を維持する。
【００２５】
以上説明したように、ＩＣカード用紙幣積増機１は、電源投入後、起動用カードが挿入されるまでは起動されず、したがって、一般カードがＩＣカード用紙幣積増機１に受け付けられないようになっているので、電源投入後の不正によりＩＣカードに記憶されている情報が改ざんされる機会を減少させることができる。
【００２６】
さらに、万一、ＩＣカード用紙幣積増機１自体が盗難された場合であっても、起動用カードを用いなければＩＣカード用紙幣積増機１を起動することができないので、ＩＣカード用紙幣積増機１のセキュリティに対する信頼性を向上することができる。
【００２７】
次に、第２の実施の形態について説明する。
図５は第２の実施の形態に係るＩＣカード用紙幣積増機の構成ブロック図である。
【００２８】
本形態のＩＣカード用紙幣積増機１ａは、このＩＣカード用紙幣積増機１ａにのみ対応した起動用カードを有しており、その起動用カードは、受付信号のほか、ＩＣカード用紙幣積増機１ａに固有の暗号を有している。
【００２９】
そのため、ＩＣカード用紙幣積増機１ａでは、制御部５に設けられたメモリ５ａに、ＩＣカード用紙幣積増機１ａを識別するための暗号が格納されており、ＩＣカード用紙幣積増機１ａは、ある起動用カードが挿入された場合に、その起動用カードの暗号とＩＣカード用紙幣積増機１ａの暗号とを照合する暗号照合手段１５を有している。さらに、ＩＣカード用紙幣積増機１ａは、その暗号の照合が成立しなかった場合に、挿入された起動用カードの暗号をＩＣカード用紙幣積増機１ａの暗号に書き換える暗号書換手段１６を有している。その他の構成は第１の実施の形態のＩＣカード用紙幣積増機１と同じである。
【００３０】
図６は第２の実施の形態に係るＩＣカード用紙幣積増機の積増処理のフローチャートである。
ＩＣカード用紙幣積増機１ａの電源が投入されると（ステップＳ２１）、ＩＣカード用紙幣積増機１ａは、まず初期状態にリセットされる（ステップＳ２２）。その際、ＩＣカード用紙幣積増機１ａは、ＬＣＤ６ｃに一般カード受付不可メッセージを表示する（ステップＳ２３）。この状態では、一般カードの挿入および紙幣の入金は行うことができないようになっており、ＩＣカード用紙幣積増機１ａは、起動用カードの挿入待機状態になる。
【００３１】
次に、ＩＣカード用紙幣積増機１ａは、起動用カードがＩＣカード挿入口２に挿入されたか否かを判断する（ステップＳ２４）。起動用カードがＩＣカード挿入口２に挿入されると、ＩＣカード用紙幣積増機１ａは、挿入された起動用カードが有する暗号をリーダ・ライタ部７にて読み取り、読み取られた暗号とメモリ５ａに格納されているＩＣカード用紙幣積増機１ａの暗号とを照合し、暗号が一致するか否かを判断する（ステップＳ２５）。
【００３２】
ＩＣカード用紙幣積増機１ａが、ステップＳ２５において、暗号が一致すると判断した場合には、ＩＣカード用紙幣積増機１ａは、アンテナ１０によってその起動用カードの受付信号を受信し、この受付信号に含まれるＩＤを認識することにより、制御部５のＣＰＵが、その受付信号に含まれる起動用コマンドによりＩＣカード用紙幣積増機１ａの起動を開始する。そして、ＩＣカード用紙幣積増機１ａは、ＬＣＤ６ｃに一般カード受付許可メッセージを表示し（ステップＳ２６）、一般カードの挿入待機状態になり、図４に示したステップＳ１１以降の処理に進む。
【００３３】
また、ＩＣカード用紙幣積増機１ａが、ステップＳ２５において、暗号が一致しないと判断した場合には、ＩＣカード用紙幣積増機１ａは、挿入された起動用カードの暗号を、ＩＣカード用紙幣積増機１ａの暗号に書き換え（ステップＳ２７）、この暗号の書き換えられた起動用カードを排出する（ステップＳ２８）。
【００３４】
ステップＳ２４において起動用カードが挿入されていない場合には、ＩＣカード用紙幣積増機１ａは、ステップＳ２３に戻り、ＬＣＤ６ｃに一般カード受付不可メッセージを表示したまま、起動用カードの挿入待機状態を維持する。ここで、暗号の書き換えられた起動用カードがＩＣカード用紙幣積増機１ａに挿入されると、ＩＣカード用紙幣積増機１ａは、暗号の書き換えられた起動用カードによって起動されるようになる。
【００３５】
このようなＩＣカード用紙幣積増機１ａによれば、ＩＣカード用紙幣積増機１ａが固有の起動用カードを有していて、ＩＣカード用紙幣積増機１ａの暗号と挿入された起動用カードの暗号とが一致する場合にのみ、ＩＣカード用紙幣積増機１ａが起動され、その後の一般カードの受け付けが可能になる。したがって、電源投入後に不正によってＩＣカードに記憶されている情報が改ざんされる機会を減少させることができ、ＩＣカード用紙幣積増機１ａのセキュリティに対する信頼性を向上することができる。
【００３６】
また、挿入された起動用カードの暗号が、ＩＣカード用紙幣積増機１ａの暗号と一致しない場合には、その起動用カードの暗号がＩＣカード用紙幣積増機１ａの暗号に書き換えられるので、ＩＣカード用紙幣積増機１ａに固有の起動用カードが盗難された、あるいは紛失してしまった場合であっても、他の起動用カードを用いて、暗号を書き換えることにより、その後の一般カードの受け付けが可能になる。したがって、起動用カードの盗難、紛失によってＩＣカード用紙幣積増機１ａが使用できなくなることがない。
【００３７】
なお、上記の説明におけるＩＣカード用紙幣積増機１，１ａは、リーダ・ライタ部７にてコンタクトを介して一般カードに直接接触することにより情報を伝達する接触式の構成であっても、また、アンテナ１０を介して一般カードと非接触で情報を伝達する非接触式の構成であってもよい。この場合、一般カードとしては、ＩＣカード用紙幣積増機１，１ａの構成に対応して、接触式ＩＣカードまたは非接触式ＩＣカードが用いられる。
【００３８】
【発明の効果】
以上説明したように、本発明では、受付信号を有する起動用カードがＩＣカード用紙幣積増機に挿入され、その受付信号が受信されることによって、ＩＣカード用紙幣積増機が起動される構成にした。これにより、ＩＣカード用紙幣積増機は、電源投入後、起動用カードが挿入されるまでは起動されず、一般カードがＩＣカード用紙幣積増機に受け付けられないようになっているので、ＩＣカード用紙幣積増機に対する不正操作や不正行為によりＩＣカードに記憶されている情報が改ざんされる機会を減少させることができる。
【００３９】
さらに、万一、ＩＣカード用紙幣積増機自体が盗難された場合であっても、起動用カードによらなければＩＣカード用紙幣積増機を起動させることができないので、ＩＣカード用紙幣積増機のセキュリティに対する信頼性を向上することができる。
【図面の簡単な説明】
【図１】第１の実施の形態に係るＩＣカード用紙幣積増機の構成ブロック図である。
【図２】ＩＣカード用紙幣積増機の一例の概略図である。
【図３】第１の実施の形態に係るＩＣカード用紙幣積増機の積増処理のフローチャート（その１）である。
【図４】第１の実施の形態に係るＩＣカード用紙幣積増機の積増処理のフローチャート（その２）である。
【図５】第２の実施の形態に係るＩＣカード用紙幣積増機の構成ブロック図である。
【図６】第２の実施の形態に係るＩＣカード用紙幣積増機の積増処理のフローチャートである。
【符号の説明】
１  カード用紙幣積増機
２  ＩＣカード挿入口
３  紙幣入金口
４  領収書発行口
５  制御部
６  操作表示部
６ａ  操作スイッチ
６ｂ  装置状態表示ランプ
６ｃ  ＬＣＤ
７  リーダ・ライタ部
８  紙幣鑑別部
９  紙幣収納庫
１０  アンテナ
１１  ＰＨＳ通信部
１２  メンテナンス部
１３  印刷部
１４  電源部
【図１】
0004453231.tif 000002
【図２】
0004453231.tif 000003
【図３】
0004453231.tif 000004
【図４】
0004453231.tif 000005
【図５】
0004453231.tif 000006
【図６】
0004453231.tif 000007